(57)【要約】【課題】  治療対象部位における血流状態等に左右されること無く確実な薬剤導入を効率よく行なうことが可能な薬剤導入システム及び薬剤導入方法を提供する。【解決手段】  治療対象部位に遺伝子等の薬剤と共に投与された超音波造影剤（標識薬剤）を導入用超音波の照射で破砕することにより治療対象部位に対する薬剤導入を行なう際に、薬剤導入システム１００の画素値比較部７は、照射計画策定部６が設定した所定照射位置に対する導入用超音波の照射前及び照射後にモニタリング画像データ生成部２１が生成したモニタリング画像データにおける前記照射位置の画素値と予め設定された閾値とを比較し、照射制御部８は、この比較結果に反映された前記照射位置における超音波造影剤の還流情報あるいは破砕情報に基づいて前記照射位置に対する導入用超音波の照射を制御する。【選択図】  図１
2006149872.tif 000002
【特許請求の範囲】
【請求項１】
薬剤及び標識薬剤が投与された治療対象部位に対してモニタリング画像データを生成するモニタリング画像データ生成手段と、
前記モニタリング画像データにおける前記治療対象部位の情報に基づいて薬剤導入を目的とした導入エネルギー波の照射位置を設定する照射位置設定手段と、
この照射位置設定手段が設定した照射位置に対して前記導入エネルギー波を照射する導入エネルギー波照射手段と、
前記モニタリング画像データの前記照射位置に対応した画素の画素値と所定の閾値を比較する画素値比較手段と、
この画素値比較手段による比較結果に基づいて前記照射位置に対する導入エネルギー波の照射を制御する照射制御手段を
備えたことを特徴とする薬剤導入システム。
【請求項２】
前記画素値比較手段は、前記照射位置に対する前記導入エネルギー波の照射前に生成された前記モニタリング画像データの前記画素値と第１の閾値を比較し、前記照射制御手段は、前記画素値比較手段による比較結果に基づいて前記照射位置に対する導入エネルギー波の照射の是非を判断することを特徴とする請求項１記載の薬剤導入システム。
【請求項３】
前記照射制御手段は、前記画素値比較手段による比較結果において、前記画素値が前記第１の閾値以上あるいは前記第１の閾値より大きい場合には前記照射位置に対して前記導入エネルギー波を照射するための制御を前記導入エネルギー波照射手段に対して行なうことを特徴とする請求項２記載の薬剤導入システム。
【請求項４】
前記画素値比較手段は、前記照射位置に対する前記導入エネルギー波の照射後に生成された前記モニタリング画像データの前記画素値と第２の閾値を比較し、前記照射制御手段は、前記画素値比較手段による比較結果に基づいて前記照射位置に対する導入エネルギー波の追加照射の是非を判断することを特徴とする請求項１記載の薬剤導入システム。
【請求項５】
前記照射制御手段は、前記画素値比較手段による比較結果において、前記画素値が前記第２の閾値以上あるいは前記第２の閾値より大きい場合には前記照射位置に対して前記導入エネルギー波の追加照射を行なうための制御を前記導入エネルギー波照射手段に対して行なうことを特徴とする請求項４記載の薬剤導入システム。
【請求項６】
関心領域設定手段を備え、前記照射位置設定手段は、前記関心領域設定手段が前記モニタリング画像データの前記治療対象部位に対して設定した関心領域に基づいて前記導入エネルギー波の照射位置を設定することを特徴とする請求項１記載の薬剤導入システム。
【請求項７】
モニタリング画像データを表示する表示手段を備え、前記表示手段は、前記画素値比較手段による前記比較結果を前記モニタリング画像データに重畳表示することを特徴とする請求項１記載の薬剤導入システム。
【請求項８】
前記標識薬剤は超音波造影剤であり、前記導入エネルギー波照射手段は、前記超音波造影剤が薬剤と共に投与された前記治療対象部位の前記照射位置に対して超音波を照射することを特徴とする請求項１記載の薬剤導入システム。
【請求項９】
分子イメージングデータ生成手段を備え、前記分子イメージングデータ生成手段は、前記導入エネルギー波照射手段によって導入エネルギー波が照射された前記治療対象部位における薬剤導入効果を確認するための画像データを生成することを特徴とする請求項１記載の薬剤導入システム。
【請求項１０】
前記分子イメージングデータ生成手段は、ＭＲＩ装置、核医学装置、Ｘ線診断装置、Ｘ線ＣＴ装置、超音波診断装置の少なくとも何れかであることを特徴とする請求項９記載の薬剤導入システム。
【請求項１１】
薬剤及び標識薬剤が投与された治療対象部位に対して画像データを生成するステップと、
前記画像データにおける前記治療対象部位の情報に基づいて関心領域を設定するステップと、
前記関心領域に基づいて薬剤導入を目的とした導入エネルギー波の照射位置を設定するステップと、
前記照射位置に対する導入エネルギー波の照射前のモニタリング画像データを生成するステップと、
前記モニタリング画像データの前記照射位置に対応した画素の画素値と所定の閾値を比較するステップと、
この比較結果に基づいて前記照射位置に対する導入エネルギー波の照射を行なうステップを
有することを特徴とする薬剤導入方法
【請求項１２】
薬剤及び標識薬剤が投与された治療対象部位に対して画像データを生成するステップと、
前記画像データにおける前記治療対象部位の情報に基づいて関心領域を設定するステップと、
前記関心領域に基づいて薬剤導入を目的とした導入エネルギー波の照射位置を設定するステップと、
前記照射位置に対して前記導入エネルギー波を照射するステップと、
前記照射位置に対する導入エネルギー波の照射後のモニタリング画像データを生成するステップと、
前記モニタリング画像データの前記照射位置に対応した画素の画素値と所定の閾値を比較するステップと、
この比較結果に基づいて前記照射位置に対する導入エネルギー波の追加照射を行なうステップを
有することを特徴とする薬剤導入方法。
【請求項１３】
前記導入エネルギー波が照射された前記治療対象部位における薬剤導入効果を確認するための分子イメージングデータを生成するステップを有することを特徴とする請求項１１又は請求項１２に記載した薬剤導入方法。
【発明の詳細な説明】
【技術分野】
【０００１】
本発明は、導入エネルギー波を用いることによって細胞や組織に対する薬剤の導入を行なう薬剤導入システム及び薬剤導入方法に関する。
【背景技術】
【０００２】
治療の分野では、近年、ＭＩＴ（Minimally Invasive Treatment）とよばれる最少侵襲治療が注目を浴びている。従来のＭＩＴとして虚血性の脳疾患及び心疾患患者に対するバルーンカテーテルやステントを用いたインターベンション治療が挙げられる。しかしながら動脈硬化症に起因するこれらの疾患は、再発率が高く、再発した部分に対して同一の治療を繰り返し行なうことは困難となっている。このような問題点に対して、再発を抑制したり、完全に梗塞を起こした組織に対し新たな血管を新生させることによって虚血症状を改善することが可能な遺伝子導入療法が注目されている。例えば、糖尿病に起因して虚血あるいは壊死状態に陥った四肢の疾患に対し血管新生因子を導入して血管の新生を促す遺伝子治療が既に効果を上げている。
【０００３】
一方、血管新生因子と逆の効果を有する血管新生抑制因子を腫瘍細胞に導入することによって腫瘍の栄養血管の新生を抑制し、腫瘍の増殖を抑えることが可能である。このような悪性腫瘍に対する新しい治療法として、腫瘍の細胞内に遺伝子を抽入して治療を行なう、遺伝子治療が検討されている。
【０００４】
細胞内に遺伝子を導入するためには、一時的に細胞膜の透過性を上昇させる手法が必要であり、その手法として、ウィルスの感染力を利用する方法やリポソームなどの化学的手法、更には、マイクロインジェクション、遺伝子銃、エレクトロポレーション、超音波、レーザなどの物理的手法が検討されている。特に、超音波など物理的手法による腫瘍細胞内への遺伝子導入は、ターゲットとなる局所的な組織を限定できる大きな利点を有している。
【０００５】
超音波による遺伝子導入法は、当初、細胞組織に対して超音波を照射する際に発生するキャビテーションによって細胞膜に一過性の孔が生成される現象（sonoporation現象）を利用し、この孔を介して遺伝子を導入する方法が検討されていた。これに対し最近では、更に導入効率を高めるために生体内にマイクロバブルから構成される超音波造影剤を投与し、超音波照射によって超音波造影剤が破砕する際に発生するマイクロジェットのsonoporation現象によって遺伝子導入を行なう手法が検討されている。この方法によれば比較的低パワーの超音波エネルギーによる遺伝子導入が可能となるため、正常組織に対する損傷を低減することができる（例えば、非特許文献１参照。）。
【０００６】
上述の造影剤を用いた遺伝子導入法では、細胞の核内に入ると新たなたんぱく質を形成する遺伝子が収納もしくは表面に付加された造影剤（マイクロバブル）を腫瘍組織内に投与し、この腫瘍組織に超音波照射を行なってマイクロバブルを破砕することによって遺伝子を取り出す。そして、取り出された遺伝子は、マイクロバブルの破砕時に生成された細胞膜の孔を介して細胞内へ導入される。この場合、当該患者の四肢の静脈から注入された超音波造影剤が治療対象部位に到達したことを超音波画像データによってモニタリングすることにより治療精度を向上させる方法も提案されている（例えば、特許文献１参照。）。
【０００７】
一方、遺伝子導入の効果確認を目的とした分子イメージング（Molecular Imaging）法の導入が検討されつつある。分子イメージング法は、光やＸ線を利用してマイクロからナノオーダーの細胞・分子を画像化する狭義の分子イメージング法と、分子内への薬剤導入や代謝に基づく分子の挙動を間接的に画像化する分子イメージング法に分類され、前者として蛍光顕微鏡やＸ線顕微鏡等、又、後者として核医学装置やＭＲＩ装置等の医用画像診断装置が用いられる。そして、例えば、核医学装置では、標的分子を標識した放射線核種を造影剤や薬剤と組み合わせることにより代謝機能の画像化が可能となる。一方、超音波診断装置やＸ線診断装置、更には、ＭＲＩ装置等による血管新生の映像化技術も注目を浴びており、癌の血管新生の映像化による超早期診断、癌の確定診断、末梢動脈の硬化塞栓病変への血管新生因子導入治療等における早期治療効果判定の手段として期待されている。
【特許文献１】特開２０００−１８９５２１号公報
【非特許文献１】古幡博、馬目佳信“超音波遺伝子導入の展開”、ＢＭＥ、日本ＭＥ学会、平成１４年７月１０日、ｖｏｌ１６、ｎｏ７、ｐ．３−７
【発明の開示】
【発明が解決しようとする課題】
【０００８】
上述の特許文献１に記載された方法によれば、モニタリングを目的とした超音波画像データを観察することによって治療対象部位に超音波造影剤が到達するタイミングを知ることが可能となるが、このときの造影剤濃度を定量的に把握する手段を有していない。このため、治療対象部位に対して超音波照射を行なう際に、所定照射位置に十分な濃度の超音波造影剤が蓄積されているか否かを正確に捉えることができない。又、照射された超音波による超音波造影剤の破砕状態を正確に把握する手段も有していない。このような理由により、治療対象部位に対する薬剤導入を精度よく行なうことが困難であった。
【０００９】
本発明は、このような問題点に鑑みてなされたものであり、その目的は、薬剤と共に治療対象部位に投与された標識薬剤に対して導入エネルギー波を与えて薬剤導入を促進させる際に、標識薬剤の情報に基づいて導入エネルギー波の照射制御を行なうことにより、治療対象部位に対して確実な薬剤導入を効率よく行なうことが可能な薬剤導入システム及び薬剤導入方法を提供することにある。
【課題を解決するための手段】
【００１０】
前記課題を解決するために、請求項１に係る本発明の薬剤導入システムは、薬剤及び標識薬剤が投与された治療対象部位に対してモニタリング画像データを生成するモニタリング画像データ生成手段と、前記モニタリング画像データにおける前記治療対象部位の情報に基づいて薬剤導入を目的とした導入エネルギー波の照射位置を設定する照射位置設定手段と、この照射位置設定手段が設定した照射位置に対して前記導入エネルギー波を照射する導入エネルギー波照射手段と、前記モニタリング画像データの前記照射位置に対応した画素の画素値と所定の閾値を比較する画素値比較手段と、この画素値比較手段による比較結果に基づいて前記照射位置に対する導入エネルギー波の照射を制御する照射制御手段を備えたことを特徴としている。
【００１１】
一方、請求項１１に係る本発明の薬剤導入方法は、薬剤及び標識薬剤が投与された治療対象部位に対して画像データを生成するステップと、前記画像データにおける前記治療対象部位の情報に基づいて関心領域を設定するステップと、前記関心領域に基づいて薬剤導入を目的とした導入エネルギー波の照射位置を設定するステップと、前記照射位置に対する導入エネルギー波の照射前のモニタリング画像データを生成するステップと、前記モニタリング画像データの前記照射位置に対応した画素の画素値と所定の閾値を比較するステップと、この比較結果に基づいて前記照射位置に対する導入エネルギー波の照射を行なうステップを有することを特徴としている。
【００１２】
又、請求項１２に係る本発明の薬剤導入方法は、薬剤及び標識薬剤が投与された治療対象部位に対して画像データを生成するステップと、前記画像データにおける前記治療対象部位の情報に基づいて関心領域を設定するステップと、前記関心領域に基づいて薬剤導入を目的とした導入エネルギー波の照射位置を設定するステップと、前記照射位置に対して前記導入エネルギー波を照射するステップと、前記照射位置に対する導入エネルギー波の照射後のモニタリング画像データを生成するステップと、前記モニタリング画像データの前記照射位置に対応した画素の画素値と所定の閾値を比較するステップと、この比較結果に基づいて前記照射位置に対する導入エネルギー波の追加照射を行なうステップを有することを特徴としている。
【発明の効果】
【００１３】
以上述べたように本発明によれば、治療対象部位に薬剤と共に投与された標識薬剤の情報に基づいて導入エネルギー波の照射制御を行なうため、治療対象部位における血流状態等に左右されること無く確実な薬剤導入を効率よく行なうことが可能となる。
【発明を実施するための最良の形態】
【００１４】
以下、図面を参照して本発明の実施例を説明する。
【実施例】
【００１５】
（装置の構成）
本発明の実施例の第１の特徴は、治療対象部位に遺伝子等の薬剤と共に投与された超音波造影剤（標識薬剤）を超音波照射にて破砕することにより治療対象部位に対する薬剤導入を行なう際に、上述の薬剤導入をモニタリング画像データの観察下にて行ない、導入用超音波の照射前あるいは照射後のモニタリング画像データに反映される超音波造影剤の情報に基づいて所定照射位置に対する超音波照射を制御することにある。
【００１６】
又、本発明の実施例の第２の特徴は、治療対象部位に対して行なわれた薬剤導入の効果を分子イメージングデータによって確認することにある。尚、本実施例では、超音波診断装置によって上述のモニタリング画像データを生成する場合について述べるが、これに限定されるものではなく他の医用画像診断装置であってもよい。
【００１７】
本発明の実施例につき図１乃至図７を用いて説明する。尚、図１は、本実施例における薬剤導入システムの全体構成を示すブロック図であり、図２は、この薬剤導入システムが備えるモニタリング画像データ生成部と薬剤導入部の具体例を示すブロック図である。
【００１８】
図１において、薬剤導入システム１００は、患者の治療対象部位に対し薬剤導入を目的とした超音波（以下では、導入用超音波と呼ぶ。）の照射を行なう薬剤導入部１と、薬剤導入時のモニタリング画像データを生成するモニタリング画像データ生成部２１と、薬剤導入効果を確認するための分子イメージングデータを生成する分子イメージングデータ生成部２２と、モニタリング画像データ生成部２１及び分子イメージングデータ生成部２２の位置情報と薬剤導入部１の位置情報を検出する位置検出部３と、この位置検出部３によって得られた位置情報に基づいてモニタリング画像データと薬剤導入部１による照射位置データ及び後述の入力部が設定する関心領域データ等の合成、あるいはモニタリング画像データと分子イメージングデータの合成等を行なうデータ合成部４を備えている。
【００１９】
又、薬剤導入システム１００は、前記関心領域の位置情報が保存される関心領域データ記憶部５と、この関心領域に基づいて照射計画を策定する照射計画策定部６と、照射計画に基づいて治療対象部位に設定された導入用超音波の照射位置に対応したモニタリング画像データの画素値と予め設定された閾値（第１の閾値及び第２の閾値）との比較を行なう画素値比較部７と、画素値比較部７の比較結果に基づいて前記照射位置に対する導入用超音波の照射を制御する照射制御部８を備え、更に、データ合成部４において合成された分子イメージングデータやモニタリング画像データを表示する表示部９と、患者情報の入力やモニタリング画像データに対する関心領域の設定、更には、画素値比較のための閾値の設定等を行なう入力部１０と、上述の各ユニットを統括的に制御するシステム制御部１１を備えている。
【００２０】
薬剤導入部１は、当該患者の治療対象部位に対して薬剤導入を行なうための導入用超音波を照射するための超音波照射部３２と、この超音波照射部３２に対して駆動信号を供給する駆動部３１を備えている。
【００２１】
図２は、薬剤導入部１の具体例を示したものであり、この薬剤導入部１の超音波照射部３２におけるアプリケータ３２１は脱気水からなるカップリング液３２３によって充満されている。更に、このアプリケータ３２１の上方には導入用超音波を放射する凹面状あるいは平面状の圧電振動子３２２が取り付けられ、その中央の開口部にはモニタリング画像データ生成部２１における超音波プローブ２１１が回動／スライド自在に装着されている。
【００２２】
一方、アプリケータ３２１の生体５１との接触部には、カップリング液３２３とほぼ等しい音響インピーダンスの高分子材料からなるカップリング膜３２４が設けられている。そして、圧電振動子３２２から照射される導入用超音波や超音波プローブ２１１によって送受信されるモニタリング用超音波は、生体５１とほぼ等しい音響特性を有するカップリング膜３２４及びカップリング液３２３を介し、生体５１に対して効率良く送受信される。尚、圧電振動子３２２は、Ｎ個の振動素子を２次元配列して構成され、これらの振動素子から放射された導入用超音波は、生体５１の治療対象領域５５に設定された所定照射位置に集束される。
【００２３】
一方、薬剤導入部１の駆動部３１は、導入用超音波を放射するために超音波照射部３２におけるＮ個の振動素子に対して駆動信号を供給する機能を有し、照射制御部８から供給される制御信号に基づいて時間τ１の連続波（バースト波）を発生するバースト波発生器３１１と、このバースト波発生器３１１からのバースト波に対して所定の遅延位相を与える遅延回路３１２と、遅延後のバースト波を照射制御部８からの制御信号に基づいて所定の大きさに増幅するパワーアンプ３１３と、パワーアンプ３１３の出力を圧電振動子３２２に効率良く供給するためにインピーダンスマッチングを行なうマッチング回路３１４を備えている。尚、遅延回路３１２、パワーアンプ３１３、マッチング回路３１４の各々は、圧電振動子３２２の振動素子数Ｎに対応してＮチャンネルから構成されている。
【００２４】
そして、上述の遅延回路３１２は、照射制御部８からの制御信号に基づいて、超音波照射部３２の圧電振動子３２２が照射する導入用超音波を所望の領域に照射するために、バースト波発生器３１１が出力したバースト波に対して所定の遅延位相を与える。尚、この遅延位相は、導入用超音波を所定の方向に偏向するための遅延位相と、所定の距離（焦点距離）に集束するための遅延位相とから構成されており、振動素子の配列位置と導入用超音波の照射位置によって一義的に決定される。
【００２５】
次に、超音波画像データの生成機能を有したモニタリング画像データ生成部２１の構成につき図３のブロック図を用いて説明する。
【００２６】
このモニタリング画像データ生成部２１は、生体５１の治療対象部位５５に対してモニタリング用超音波の送受信を行なう超音波プローブ２１１と、超音波プローブ２１１に対して送信信号を供給すると共に、超音波プローブ２１１から得られた受信信号に基づいてモニタリング画像データを生成する画像データ生成部２１２を備えている。
【００２７】
超音波プローブ２１１は、通常の超音波診断において用いられているものと同様のものを使用することが可能であり、特に超音波照射部３２の圧電振動子３２２による導入用超音波の照射を妨げないように、小さな超音波送受信面で広い範囲の画像化が可能なセクタ走査用の超音波プローブが好適である。本実施例では、超音波ビームの送受信方向を電子的に制御して扇状の画像領域を得るセクタ電子走査型の超音波プローブ２１１を用いるが、これに限定されない。図３に示した超音波プローブ２１１の先端部は、Ｘ方向に１次元配列された図示しないＭ個の微小振動素子を有し、この微小振動素子によって、送信時には電気パルスを超音波パルス（送信超音波）に変換して被検体５１に送信し、又、受信時には被検体５１からの超音波反射波（受信超音波）を電気信号に変換する。
【００２８】
一方、画像データ生成部２１２は、超音波プローブ２１１の圧電振動子３２２から生体５１に対して送信超音波を放射するための駆動信号を生成する送信部４１と、生体５１からの受信超音波を超音波プローブ２１１を介して受信する受信部４２と、この受信信号に対してＢモードデータを生成するための信号処理を行なう信号処理部４３と、得られたＢモードデータを保存してＢモード画像データを生成する画像データ記憶部４４と、システム制御部１１からの指示信号に従って超音波の走査方向を制御する走査制御部４５を備えている。
【００２９】
送信部４１は、生体５１に送信する送信超音波の繰り返し周期を決定するためのレートパルスを発生するレートパルス発生器４１１と、送信超音波を集束するための遅延時間と所定方向に対して送信超音波を放射し生体５１を走査するための遅延時間を前記レートパルスに供給する送信遅延回路４１２と、遅延後のレートパルスに基づいて駆動信号を生成し、この駆動信号を超音波プローブ２１１の微小振動素子に供給するパルサ４１３を有している。
【００３０】
一方、受信部４２は、前記超音波プローブ２１１の微小振動素子によって電気信号に変換されたＭチャンネルの受信信号をＡ／Ｄ変換するＡ／Ｄ変換器４２１と、Ａ／Ｄ変換された所定方向及び所定深さからの受信信号を整相加算する受信遅延回路４２２及び加算器４２３を備えている。
【００３１】
尚、上述の送信遅延回路４１２、パルサ４１３、Ａ／Ｄ変換器４２１及び受信遅延回路４２２の各々は、超音波プローブ２１１の微小振動素子数Ｍに対応してＭチャンネルから構成されている。
【００３２】
信号処理部４３は、受信信号の振幅を対数変換して弱い信号を相対的に強調する対数変換器４３１と、対数変換された受信信号に対して包絡線検波を行なう包絡線検波器４３２を備えており、画像データ記憶部４４は、信号処理部４３において生成されたＢモードデータを走査方向単位で順次保存してモニタリング画像データを生成する。
【００３３】
そして、走査制御部４５は、システム制御部１１からの指示信号に従い、生体内の所定走査方向に対して超音波送受信を行なうために送信部４１の送信遅延回路４１２及び受信部４２の受信遅延回路４２２の遅延時間を制御する。
【００３４】
一方、分子イメージングデータ生成部２２は、治療対象部位における薬剤導入効果を確認するために分子イメージングデータの生成を行なう。この分子イメージングデータ生成部２２は、例えば、ＰＥＴ装置やＸ線ＣＴ装置、更にはＭＲＩ装置のように通常の臨床診断に用いられている医用画像診断装置が設けられている。又、モニタリング画像データ生成部２１として用いられた超音波診断装置を併用してもよい。
【００３５】
次に、図１の位置検出部３は、モニタリング画像データ生成部２１における超音波プローブ２１１の位置情報や分子イメージングデータ生成部２２における検出器等の位置情報、更には、薬剤導入部１の超音波照射部３２におけるアプリケータ３２１の位置情報を検出する。例えば、上述の各々に磁気センサを装着し、この磁気センサからの受信信号に基づいて位置情報を検出する。更に、位置検出部３は、超音波プローブ２１１、検出器及びアプリケータ３２１の位置情報に基づいて患者に対するモニタリング画像データ、分子イメージングデータ及び導入用超音波の照射領域の相対位置を検出する。
【００３６】
そして、データ合成部４は、位置検出部３において検出された相対位置情報に基づいてモニタリング画像データと照射領域データの合成を行ない、更に、照射領域データが重畳されたモニタリング画像データと後述する入力部１０において設定された関心領域データとの合成を行なう。一方、関心領域データ記憶部５には、表示部９に表示されたモニタリング画像データの治療対象部位に基づいて操作者が入力部１０にて設定した関心領域の位置情報が保存される。
【００３７】
次に、照射計画策定部６は、関心領域データ記憶部５に保存された関心領域の位置情報と入力部１０にて予め設定されシステム制御部１１を介して自己の記憶回路に保存されている所定照射位置に対する照射回数ｎ１、照射時間τ１、照射周期τ２、照射エネルギー、水平方向（Ｘ方向）の照射位置間隔ｄｘ、深さ方向（Ｚ方向）の照射位置間隔ｄｚ等に基づいて治療対象部位に対する導入用超音波の照射計画を策定する。このとき、照射位置間隔ｄｘ及びｄｚは、導入用超音波におけるＸ方向のビーム幅及びＺ方向の焦点深度に基づいて決定される。
【００３８】
図４（ａ）は、データ合成部４にて合成されたモニタリング画像データ８２、超音波照射部３２のアプリケータ３２１における圧電振動子３２２の位置８３及び入力部１０において設定された関心領域８５を示したものであり、超音波プローブ２１１の先端部８１に対応するモニタリング画像データ８２の上端部がアプリケータ３２１における圧電振動子３２２の中央部に対応するように合成され、このときモニタリング画像データ８２の治療対象部位８４を囲むように設定された関心領域８５の境界線がモニタリング画像データ８２に合成される。
【００３９】
一方、図４（ｂ）は照射計画策定部６が設定する導入用超音波の照射計画を模式的に示したものであり、照射計画策定部６は、モニタリング画像データ８２において設定された関心領域８５を予め設定された上述の照射位置間隔ｄｘ及びｄｚで形成される複数の微小領域に分割し、各々の微小領域の略中心位置を導入用超音波の照射位置（例えば、Ｃ１乃至Ｃ３）に設定する。次いで、これらの照射位置Ｃ１乃至Ｃ３に対する導入用超音波の照射順序を例えば矢印の方向に設定する。尚、図４（ｂ）では、以下の説明を簡単にするために深さ方向の微小領域数が１つの場合について示したが、複数の領域を設定することも可能である。
【００４０】
次に、図５は、照射計画策定部６によって策定された照射位置Ｃ１乃至Ｃ３に対する導入用超音波の照射波形及び照射順序を示すタイムチャートである。尚、この図では、同一照射位置に対する照射回数ｎ１を３回とした場合について示しているが、これに限定されない。即ち、図４（ｂ）の最初の照射位置Ｃ１に対して導入用超音波の焦点を設定し照射時間τ１の照射を行なった後、時間τ３（τ３＝τ２−τ１）の間照射を休止した状態で導入超音波の焦点を隣接した照射位置Ｃ２に移動し、この照射位置Ｃ２に対して照射時間τ１の照射を行なう。同様の手順によって照射位置Ｃ３に対する照射を終了したならば導入用超音波の焦点を照射位置Ｃ１に戻して照射位置Ｃ１乃至Ｃ３に対する照射を照射周期τ２で繰返し、夫々の照射位置に対してｎ１＝３回の照射を行なったならば治療対象部位８４に対する導入用超音波の照射を一旦終了する。照射計画策定部６は、図４及び図５に示すような照射計画を操作者によって設定された関心領域に基づいて策定する。
【００４１】
次に、図１の画素値比較部７は、図示しない演算回路と記憶回路を備え、前記記憶回路にはシステム制御部１１を介して入力部１０より供給された第１の閾値Ｐ１ｘ及び第２の閾値Ｐ２ｘが保存される。一方、前記演算回路は、照射計画策定部６が策定した照射計画に基づいて所定照射位置Ｃｎに対する導入用超音波の照射を行なう際、この照射の直前に得られたモニタリング画像データの前記照射位置Ｃｎに対応した画素値Ｐｎをデータ合成部４より読み出し、この画素値Ｐｎと前記記憶回路に保存された第１の閾値Ｐ１ｘとの比較を行なう。又、画素値比較部７は、同様にして、前記照射位置Ｃｎに対する導入用超音波の照射が行なわれた直後に得られたモニタリング画像データの前記照射位置Ｃｎに対応した画素値Ｐｎと前記記憶回路に保存されている第２の閾値Ｐ２ｘとの比較を行なう。
【００４２】
そして、照射制御部８は、画素値比較部７から供給される画素値の比較結果に基づき照射位置Ｃｎに対して照射を行なうための制御信号を薬剤導入部１の駆動部３１に供給する。
【００４３】
上述の画素値比較部７及び照射制御部８は、本実施例において最も重要な部分であるため、これらのユニットが有する機能と効果につき、更に詳しく説明する。
【００４４】
治療対象部位に対して有効な薬剤導入を行なうための第１の条件は、所定の照射位置Ｃｎにおいて造影剤が十分蓄積（還流）された時点で導入用超音波を照射することであり、又、第２の条件は、この照射位置Ｃｎに導入超音波を照射することによって造影剤が確実に破砕されたか否かを把握し、破砕が不充分な場合には同一照射部位に対して追加の照射を行なうことである。
【００４５】
上述の第１の条件に対し、本実施例では、所定照射部位に還流される造影剤の濃度に対応するモニタリング画像データの画素値を監視し、この画素値が所定の大きさに到達したならば導入用超音波の照射を行なう。
【００４６】
図６（ａ）は、例えば、照射位置Ｃ１に対して導入用超音波が照射される際に、照射計画策定部６によって設定された照射計画に基づいて薬剤導入部１における駆動部３１が制御される場合であり、（ａ−１）は、モニタリング画像データの生成タイミング、（ａ−２）は、照射位置Ｃ１に対応した画素における画素値Ｐ１の変化曲線、そして、（ａ−３）は、照射制御部８から薬剤導入部１の駆動部３１に供給される照射位置Ｃ１の照射トリガ信号を示している。
【００４７】
即ち、時刻ｔ２１の照射トリガ信号に従い照射位置Ｃ１に対する導入用超音波が照射され、照射位置Ｃ１に蓄積された造影剤の大部分は破砕される。そして、この造影剤の破砕に伴ってモニタリング画像データの照射位置Ｃ１に対応した画素値Ｐ１も（ａ−１）に示すように急速に減少する。次いで、照射位置Ｃ２及びＣ３に対する導入用超音波の照射が行なわれている間に照射位置Ｃ１には周囲の血管あるいは組織から血流と共に造影剤が還流され、この造影剤の還流に伴って画素値Ｐ１も徐々に増大する。そして、十分な画素値に達した時点ｔ２２で照射位置Ｃ１に対する次の照射が行なわれるように上述の照射計画は策定される。
【００４８】
しかしながら、この場合の照射間隔［ｔ２１〜ｔ２２］は、治療対象部位における血流状態に大きく依存するため、患者の個体差を考慮すれば照射計画において厳密に設定することは望ましくない。このため、本実施例における上述の画素値比較部７は、照射計画において設定された照射タイミングｔ２２の直前の時刻ｔ１４において得られたモニタリング画像データから照射位置Ｃ１に対応した画素の画素値Ｐ１を抽出し、次いで、この画素値Ｐ１と自己の記憶回路に保存されている第１の閾値Ｐ１ｘを比較してその比較結果を照射制御部８に供給する。次いで、照射制御部８は、画素値比較部７から供給された比較結果を読み取り、画素値Ｐ１が第１の閾値Ｐ１ｘ以上の場合には照射位置Ｃ１に対する照射を照射計画に従い時刻ｔ２２において行なう。
【００４９】
一方、図６（ｂ）は、照射位置Ｃ１における造影剤の還流が特に遅い患者の場合を示したものであり、図６（ａ）の場合と同様にして（ｂ−２）は、照射位置Ｃ１における画素値Ｐ１の変化曲線、（ｂ−３）は、照射制御部８から駆動部３１に供給される照射位置Ｃ１の照射トリガ信号を示している。
【００５０】
即ち、画素値比較部７から供給された比較結果を受信した照射制御部８は、照射計画において設定された照射タイミングｔ２２の直前の時刻ｔ１４において得られたモニタリング画像データの画素値Ｐ１が第１の閾値Ｐ１ｘに到達していない場合には、時刻ｔ２２での導入用超音波の照射を取り止める。そして、後続して得られるモニタリング画像データ（例えば、時刻ｔ１５のモニタリング画像データ）における照射位置Ｃ１の画素値Ｐ１が前記閾値Ｐ１ｘを越えたならば、時刻ｔ１５から所定時間Δτａ後の時刻ｔ２３において照射位置Ｃ１に対する導入用超音波の照射を行なう。
【００５１】
次に、治療対象部位に対して有効な薬剤導入を行なうための第２の条件に対し、本実施例では、所定照射部位に対する導入超音波の照射直後に得られたモニタリング画像データを監視し、このモニタリング画像データにおける照射位置Ｃ１の画素値Ｐ１が予め設定された第２の閾値Ｐ２ｘ以下に低減しない場合には同一照射位置に対して再度導入用超音波の照射を行なう。
【００５２】
図７（ａ）は、例えば、照射位置Ｃ１に対して導入用超音波が照射される際に、照射計画策定部６によって設定された照射計画に基づいて薬剤導入部１における駆動部３１が制御される場合であり、（ａ−１）は、モニタリング画像データの生成タイミング、（ａ−２）は、照射位置Ｃ１おける画素値Ｐ１の変化曲線、そして、（ａ−３）は、照射制御部８から駆動部３１に供給される照射位置Ｃ１の照射トリガ信号を示している。
【００５３】
そして、図７の（ａ−２）に示すように、画素値比較部７は、時刻ｔ２２の照射トリガ信号に基づいて照射位置Ｃ１に対する導入用超音波の照射が行なわれた直後のｔ１５において得られたモニタリング画像データの照射位置Ｃ１に対応した画素の画素値Ｐ１を抽出する。次いで、この画素値Ｐ１と自己の記憶回路に保存されている第２の閾値Ｐ２ｘを比較し、その比較結果を照射制御部８に供給する。一方、照射制御部８は、画素値比較部７から供給された比較結果を読み取り、画素値Ｐ１が閾値Ｐ２ｘ以下の場合には照射位置Ｃ１に対する照射を一旦終了し、隣接した照射位置Ｃ２に対する導入用超音波の照射に移行する。
【００５４】
一方、図７（ｂ）は、体動等の理由により照射位置Ｃ１に対する導入用超音波の照射が不十分の場合を示したものであり、図７（ａ）の場合と同様にして（ｂ−２）は、照射位置Ｃ１における画素値Ｐ１の変化曲線、（ｂ−３）は、照射制御部８から駆動部３１に供給される照射位置Ｃ１の照射トリガ信号を示している。
【００５５】
即ち、画素値比較部７からの画素値比較結果を受信した照射制御部８は、照射タイミングｔ２２の直後の時刻ｔ１５において得られたモニタリング画像データの画素値Ｐ１が第２の閾値Ｐ２ｘより大きい場合には、時刻ｔ１５より所定時間Δτｂ後の時刻ｔ２４において照射位置Ｃ１に対する照射を再度行なう。そして、この照射直後の時刻ｔ１６において得られたモニタリング画像データの画素値Ｐ１が前記閾値Ｐ２ｘ以下である場合には次の照射位置Ｃ２に対する照射に移行する。
【００５６】
一方、画素値Ｐ１が閾値Ｐ２ｘより大きい場合には、同様の手順にて導入用超音波の照射と画素値の比較を繰返し、画素値Ｐ１が閾値Ｐ２ｘ以下であることが確認されたならば次の照射位置Ｃ２に対する照射に移行する。尚、上述の時間Δτａ及びΔτｂは、照射時間τ１等と共に初期設定において設定される。
【００５７】
図１に戻って、表示部９は、図示しない表示用データ生成回路、変換回路及びモニタを備えている。そして、データ合成部４に保存された上述のモニタリング画像データや分子イメージングデータは表示用データ生成回路にて走査変換が行なわれ、変換回路においてＤ／Ａ変換とテレビフォーマット変換が行われてモニタに表示される。特に、モニタリング画像データの表示に際しては、アプリケータ３２１の位置情報や関心領域８５、この関心領域８５に基づいて設定された複数の照射位置Ｃ１乃至Ｃ３の位置情報、更には各種の付帯情報等をモニタリング画像データに重畳して表示することも可能である。
【００５８】
次に、入力部１０は、操作パネル上に表示パネルやキーボード、トラックボール、マウス、選択ボタン等の入力デバイスを備えたインタラクティブなインターフェースであり、患者情報の入力、画像データ収集装置の選択、画像表示モードの選択、関心領域の設定、関心領域における水平方向（Ｘ方向）の照射位置間隔ｄｘ及び深さ方向（Ｚ方向）における照射位置間隔ｄｚの設定、照射時間τ１、照射周期τ２、時間Δτａ及びΔτｂの設定、所定照射位置に対する照射回数ｎ１、照射エネルギー、モニタリング画像データの画素値に対する第１の閾値Ｐ１ｘ及び第２の閾値Ｐ２ｘの設定、更には、各種コマンド信号の入力等が行なわれる。尚、上述の画像表示モードとして、モニタリング画像データ及び分子イメージングデータの表示があり、画像データ収集装置としてモニタリング画像データあるいは分子イメージングデータを生成するための超音波診断装置、ＰＥＴ装置、ＣＴ装置、ＭＲＩ装置等の医用画像診断装置がある。
【００５９】
そして、システム制御部１１は、図示しないＣＰＵと記憶回路を備え、操作者によって入力部１０から入力された入力情報、設定情報及び選択情報は前記記憶回路に保存される。一方、ＣＰＵは、入力部１０から入力された上述の情報に基づいて、薬剤導入システム１００の上記各ユニットの制御やシステム全体の制御を統括して行なう。
【００６０】
（治療対象部位に対する薬剤導入の手順）
次に、本実施例における薬剤導入の手順につき図８のフローチャートに沿って説明する。
【００６１】
操作者は、当該患者に対する治療前診断によって治療対象部位の位置や状態の把握を行なう。特に、治療対象部位に対して画像診断を行なう際には、薬剤導入システム１００の分子イメージングデータ生成部２２に設けられている超音波診断装置やＭＲＩ装置あるいはＸ線ＣＴ装置等を使用することも可能である。
【００６２】
治療前診断が終了したならば、操作者は入力部１０において患者情報を入力した後、画像表示モードとしてモニタリング画像データの表示モードを、又、このモニタリング画像データを生成するための画像データ収集装置として超音波診断装置を選択する。
【００６３】
更に、操作者は、入力部１０にて水平方向の照射位置間隔ｄｘ及び深さ方向の照射位置間隔ｄｚ、照射時間τ１、時間Δτａ及びΔτｂ、所定照射位置に対する照射回数ｎ１、照射エネルギー（バースト波振幅）、モニタリング画像データの画素値に対する第１の閾値Ｐ１ｘ及び第２の閾値Ｐ２ｘ等の初期設定を行なう。そして、このとき設定された情報はシステム制御部１１の記憶回路に保存されると共に、照射位置間隔ｄｘ及びｄｚ、照射時間τ１、照射回数ｎ１、照射エネルギー、時間Δτａ及びΔτｂ等は照射計画策定部６の記憶回路に、又、第１の閾値Ｐ１ｘ及び第２の閾値Ｐ２ｘは画素値比較部７の記憶回路に夫々保存される（図８のステップＳ１）。
【００６４】
これらの初期設定が終了したならば、モニタリング画像データ生成部２１の超音波プローブ２１１と薬剤導入部１の超音波照射部３２におけるアプリケータ３２１を当該患者の体表部に固定し、モニタリング画像データの生成及び表示を開始するためのコマンド信号を入力する。
【００６５】
このコマンド信号を受信したシステム制御部１１は、モニタリング画像データ生成部２１の走査制御部４５に対して走査方向θ１乃至θＰの超音波送受信を行なうための指示信号を供給し、走査制御部４５は、この指示信号に従って送信部４１の送信遅延時間及び受信部４２の受信遅延時間を制御し走査方向θ１乃至θＰに対する超音波送受信を行なう。そして、信号処理部４３は、各々の走査方向からの受信信号を信号処理し、得られたＢモードデータを画像データ記憶部４４に保存してモニタリング画像データを生成する。
【００６６】
一方、位置検出部３は、モニタリング画像データ生成部２１における超音波プローブ２１１の位置情報と薬剤導入部１の超音波照射部３２におけるアプリケータ３２１の位置情報に基づいて相対位置情報を検出し、データ合成部４は、検出された相対位置情報に基づいてモニタリング画像データと薬剤導入部１の照射領域データの合成を行なって表示部９のモニタに表示する（図８のステップＳ２）。
【００６７】
次いで、操作者は、表示部９に表示されたモニタリング画像データを観測し、このモニタリング画像データの治療対象部位に対する関心領域を入力部１０の入力デバイスを用いて設定する。そして、設定された関心領域の位置情報は関心領域データ記憶部５に保存される（図８のステップＳ３）。
【００６８】
次に、照射計画策定部６は、関心領域データ記憶部５に保存された関心領域の位置情報を読み出し、この関心領域の位置情報と自己の記憶回路に保存されている照射位置間隔ｄｘ及びｄｚに基づいて照射計画の照射位置Ｃ１乃至Ｃ３を設定すると共に、これらの照射位置Ｃ１乃至Ｃ３に対する照射計画の照射波形及び照射順序を自己の記憶回路に保存されている照射時間τ１、照射周期τ２、照射回数ｎ１、照射エネルギー等に基づいて設定する（図８のステップＳ４）。
【００６９】
上述の照射計画が策定されたならば、当該患者の例えば上肢静脈より薬剤及び超音波造影剤を投与し（図８のステップＳ５）、この造影剤の治療対象部位への到達をモニタリング画像データの観測によって確認したならば治療対象部位に対する導入用超音波の照射を開始するためのコマンド信号を入力部１０より入力する（図８のステップＳ６）。
【００７０】
次いで、モニタリング画像データ生成部２１は、照射計画において設定された最初の照射位置Ｃ１に対する導入用超音波の照射が行なわれる直前のモニタリング画像データを生成してデータ合成部４に保存する（図８のステップＳ７）。尚、この場合のモニタリング画像データ及び後述する導入用超音波の照射直後におけるモニタリング画像データを生成するために超音波プローブ２１１から放射されるモニタリング用超音波の振幅は、前記照射位置における超音波造影剤が破砕しない程度の低パワーに設定される。
【００７１】
一方、画素値比較部７は、このモニタリング画像データの照射位置Ｃ１に対応する画素の画素値Ｐ１と自己の記憶回路に保存されている第１の閾値Ｐ１ｘを比較し（図８のステップＳ８）、この比較結果を照射制御部８に供給する。
【００７２】
画素値比較部７より比較結果の供給を受けた照射制御部８は、モニタリング画像データの画素値Ｐ１が第１の閾値Ｐ１ｘ以上の場合には、照射位置Ｃ１に対する導入用超音波の照射を行なう（図８のステップＳ９）。一方、モニタリング画像データの画素値Ｐ１が第１の閾値Ｐ１ｘより小さい場合には、同様の手順により前記モニタリング画像データに後続して得られるモニタリング画像データの照射位置Ｃ１に対応する画素値Ｐ１と前記閾値Ｐ１ｘとの比較を継続して行ない（図８のステップＳ７及びＳ８）、新たなモニタリング画像データにおける画素値Ｐ１が第１の閾値Ｐ１ｘ以上になったならば照射位置Ｃ１に対する導入用超音波の照射を行なう（図８のステップＳ９）。
【００７３】
次に、モニタリング画像データ生成部２１は、照射位置Ｃ１に対する導入用超音波の照射が行なわれた直後のモニタリング画像データを生成してデータ合成部４に保存し（図８のステップＳ１０）、画素値比較部７は、このモニタリング画像データの照射位置Ｃ１に対応する画素の画素値Ｐ１と自己の記憶回路に保存されている第２の閾値Ｐ２ｘを比較して（図８のステップＳ１１）、この比較結果を照射制御部８に供給する。
【００７４】
そして、照射制御部８は供給された比較結果において、モニタリング画像データの画素値Ｐ１が第２の閾値Ｐ１ｘ以下の場合には、次の照射位置Ｃ２に対する導入用超音波の照射に移行する（図８のステップＳ７乃至Ｓ１１）。一方、モニタリング画像データの画素値Ｐ１が第２の閾値Ｐ２ｘより大きい場合には、照射位置Ｃ１に対する照射とこの照射の直後に得られるモニタリング画像データの画素値Ｐ１と前記閾値Ｐ２ｘとの比較を繰返して行ない（図８のステップＳ９及びＳ１１）、画素値Ｐ１が第２の閾値Ｐ２ｘより小さくなったならば照射位置Ｃ２に対する導入用超音波の照射に移行する（図８のステップＳ７乃至Ｓ１１）。
【００７５】
そして、上述の手順によって照射位置Ｃ３に対する照射が終了したならば治療対象部位に対する導入用超音波の照射を一旦停止し（図８のステップＳ１２）、所定時間経過した後に分子イメージングデータによる薬剤導入効果の確認を行なう。分子イメージングデータの生成に際し、操作者は、使用可能な医用画像診断装置の中から例えばＭＲＩ装置を選択し、Gene Expression Imaging等の分子イメージング手段を適用して治療対象部位における遺伝子発現状況等を観察することにより薬剤導入効果の確認を行なう。
【００７６】
選択されたＭＲＩ装置に対し、位置検出部３はその位置情報を検出し、データ合成部４は、検出された位置情報に基づいてＭＲＩ装置によって得られた分子イメージングデータと関心領域データ記憶部５に保存されている関心領域データ等との合成を行なって表示部９に表示する（図８のステップＳ１３）。
【００７７】
操作者は、表示された分子イメージングデータにおいて、例えば、関心領域内の治療対象部位における薬剤導入効果を観測し、治療対象部位の全領域において十分な薬剤導入効果が確認できた場合には導入用超音波の照射による薬剤導入を終了する（図８のステップＳ１４）。
【００７８】
一方、治療対象部位において薬剤導入効果が不十分な領域が認められた場合には、入力部１０の入力デバイスを使用して、前記領域に対して関心領域を設定し（図８のステップＳ１５）、次いで、図８のステップＳ４に戻り新たに設定された関心領域に対する導入用超音波の照射と薬剤導入効果の確認を繰返す（図８のステップＳ４乃至Ｓ１４）。
【００７９】
以上述べた本実施例では、治療対象部位に薬剤と共に投与された超音波造影剤を導入用超音波の照射によって破砕することにより治療対象部位に対する薬剤導入を行なう際に、導入用超音波の照射直前に得られたモニタリング画像データにおける超音波造影剤の環流状態に基づいて導入用超音波の照射を制御しているため、当該患者の血流状態等に影響されることなく、常に超音波造影剤が所定濃度に達した治療対象部位に対し導入用超音波を照射することが可能となる。
【００８０】
又、導入用超音波の照射直後に得られたモニタリング画像データにおける超音波造影剤の破砕状態に基づいて導入用超音波の照射を制御しているため、例えば、体動等によって一時的に超音波造影剤の破砕が十分行なわれない状態が発生しても過不足のない追加照射により最適な導入用超音波の照射が可能となる。
【００８１】
即ち、上述の実施例によれば、導入用超音波の照射直前あるいは照射直後のモニタリング画像データに反映される超音波造影剤の情報に基づいて所定照射位置に対する導入用超音波の照射を制御しているため、治療対象部位に対し精度のよい薬剤導入を効率よく行なうことが可能となる。
【００８２】
又、この実施例によれば、導入用超音波の照射直前及び照射直後に得られるモニタリング画像データの画素値と予め設定された閾値との比較を行ない、この比較結果に基づいて所定照射位置に対する導入用超音波の照射を制御しているため、精度のよい制御を自動的に行なうことが可能となり、治療に要する時間の短縮が可能となるのみならず、操作者や患者の負担を軽減することができる。
【００８３】
更に、上述の本実施例では、治療対象部位に対して行なわれた薬剤導入の効果を分子イメージングデータによって短時間で確認することが可能となるため、薬剤導入の精度を更に向上させることが可能となる。
【００８４】
以上、本発明の実施例について述べたが、本発明は上述の実施例に限定されるものではなく、種々変形して実施することが可能である。例えば、上述の実施例では、所定照射位置に対する導入用超音波の照射直後に得られたモニタリング画像データの画素値Ｐ１と第２の閾値Ｐ２ｘとの比較結果に基づいて導入用超音波の照射を制御する際、前記画素値Ｐ１が第２の閾値Ｐ２ｘより大きい場合には、同一の照射位置に対する追加照射を引き続いて行なったが、画素値Ｐ１が第２の閾値Ｐ２ｘより大きい場合の照射位置の位置情報Ｃｘを保存し、予め設定された照射計画に基づいた導入用超音波の照射が終了した時点、あるいは、複数の照射位置に対する最初の導入用超音波の照射が終了した時点で前記位置情報Ｃｘの照射位置に対する追加照射を纏めて行なってもよい。この場合、追加照射を要する照射位置が複数箇所存在する場合には、照射計画策定部６は、位置情報Ｃｘに基づいて新たな照射計画を策定し、この照射計画に基づいて追加照射を行なってもよい。このときの照射位置Ｃｘのマッピングデータを作成し表示部９に表示することによって操作者は導入用超音波の追加照射状況を可視化することが可能となる。更に、この場合、追加照射が必要な領域、照射が不可能な領域、照射済みの領域等を色別して表示することが望ましい。
【００８５】
一方、上述の実施例における分子イメージングデータ生成部２２としてＭＲＩ装置を用いる場合について述べたが、核医学装置（ＰＥＴ装置及びＳＰＥＣＴ装置）や超音波診断装置、Ｘ線ＣＴ装置、Ｘ線診断装置を用いてもよい。特に、核医学装置を使用する場合には、薬剤や超音波造影剤と共にＲＩを当該患者の治療対象部位に対して投与することが望ましい。又、分子イメージングデータとして、例えば、形態診断能に優れたＸ線ＣＴ画像データと機能診断能に優れた核医学画像データの合成等、異種の画像データを合成して用いてもよい。更に、上述の分子イメージングデータとモニタリング画像データを合成表示することも可能である。
【００８６】
一方、標識薬剤として超音波造影剤を用いる場合について述べたが、他の標識薬剤を用いてもよい。又、上述の実施例では、照射位置数が３、所定照射位置に対する照射回数ｎ１が３回の場合について述べたがこれらに限定されない。
【図面の簡単な説明】
【００８７】
【図１】本発明の実施例における薬剤導入システムの全体構成を示すブロック図。
【図２】同実施例の薬剤導入システムにおけるモニタリング画像データ生成部と薬剤導入部の具体例を示すブロック図。
【図３】同実施例のモニタリング画像データ生成部の構成を示すブロック図。
【図４】同実施例における導入用超音波の照射計画を模式的に示す図。
【図５】同実施例における導入用超音波の照射波形及び照射順序を示すタイムチャート。
【図６】同実施例における導入用超音波の照射前のモニタリング画像データに基づいた照射制御方法を示す図。
【図７】同実施例における導入用超音波の照射後のモニタリング画像データに基づいた照射制御方法を示す図。
【図８】同実施例における薬剤導入の手順を示すフローチャート。
【符号の説明】
【００８８】
１…薬剤導入部
３…位置検出部
４…データ合成部
５…関心領域データ記憶部
６…照射計画策定部
７…画素値比較部
８…照射制御部
９…表示部
１０…入力部
１１…システム制御部
２１…モニタリング画像データ生成部
２２…分子イメージングデータ生成部
３１…駆動部
３２…超音波照射部
１００…薬剤導入システム
２１１…超音波プローブ
２１２…画像データ生成部
３１１…バースト波発生器
３１２…遅延回路
３１３…パワーアンプ
３１４…マッチング回路
３２１…アプリケータ
３２２…圧電振動子
３２３…カップリング液
３２４…カップリング膜
【図１】
2006149872.tif 000003
【図２】
2006149872.tif 000004
【図３】
2006149872.tif 000005
【図４】
2006149872.tif 000006
【図５】
2006149872.tif 000007
【図６】
2006149872.tif 000008
【図７】
2006149872.tif 000009
【図８】
2006149872.tif 000010